(57)【要約】【課題】  短メッセージサービスの機能を充実させる。【解決手段】  無線通信システム内に於けるメッセージ信号通知のための方法並びにシステムが開示されている。プライバシー（ＰＩ）および緊急指示（ＵＩ）並びに副アドレス指定が、分離されたメッセージに対して階層的な方法で具備できる。使用者肯定確認および返答機能が組み込まれている。【選択図】  図５
2007014029.tif 000002
【特許請求の範囲】
【請求項１】
無線通信ネットワーク内の使用者間でディジタルチャンネルを介してメッセージを送信するための方法であって、
遠隔局の第一使用者から別の遠隔局に居る第二使用者に対して配信するため、前記第一使用者から前記ネットワークに、前記ディジタルチャンネル経由でメッセージを送信するステップと、
前記メッセージの一部として、前記メッセージに関連する緊急度のレベルを表す緊急指示を含ませるステップと、
前記メッセージを、前記別の遠隔局に居る前記第二使用者に対して送信するステップと、
前記メッセージを前記別の遠隔局において、前記緊急指示に基づいて出力するステップとを有することを特徴とする方法。
【請求項２】
前記出力ステップが、
前記メッセージを、複数のメッセージのひとつとして、前記緊急指示に基づいた順番で出力するステップをさらに含むことを特徴とする請求項１記載の方法。
【請求項３】
前記ディジタルチャンネルがディジタル制御チャンネルであることを特徴とする請求項１記載の方法。
【請求項４】
前記ディジタルチャンネルがディジタル通信チャンネルであることを特徴とする請求項１記載の方法。
【請求項５】
移動局であって、
空気インタフェースを介し、ディジタルチャンネル経由でテキストメッセージを受信するための受信機と、
前記受信したテキストメッセージを処理するとともに、前記受信したテキストメッセージ内の緊急指示に基づいて要求する処理装置とを有することを特徴とする移動局。
【請求項６】
前記処理装置が、前記緊急指示に基づいた順番でテキストメッセージを出力することを特徴とする請求項５記載の移動局。
【請求項７】
移動局であって、
空気インタフェースを介し、ディジタルチャンネル経由でテキストメッセージを送信するための送信機と、
前記テキストメッセージに緊急指示を付加するための処理装置とを有することを特徴とする移動局。
【請求項８】
前記ディジタルチャンネルがディジタル制御チャンネルであることを特徴とする請求項５記載の移動局。
【請求項９】
前記ディジタルチャンネルがディジタル通信チャンネルであることを特徴とする請求項５記載の移動局。
【請求項１０】
前記ディジタルチャンネルがディジタル制御チャンネルであることを特徴とする請求項７記載の移動局。
【請求項１１】
前記ディジタルチャンネルがディジタル通信チャンネルであることを特徴とする請求項７記載の移動局。
【発明の詳細な説明】
【技術分野】
【０００１】
本発明は一般的には無線通信システムに於ける信号通知を行う無線通信システム並びに方法に係わり、更に詳細にはこの様なシステム内でのディジタル制御チャンネルを使用したメッセージ送信システム並びに方法に関する。
【背景技術】
【０００２】
米国特許明細連続番号第０８／１４７，２５４に開示されている、名称”無線通信システムに於ける通信の方法”、１９９３年１１月１日申請の開示内容は、本明細書でも参照されている。
【０００３】
一つの無線通信システムがＧＳＭ、無線通信に関するヨーロッパ標準に記載されており、これは画一性を提供し使用者がヨーロッパ全域に於いて機器の互換性の問題を最少として無線通信システムにアクセスできるようにすることを意図している。ＧＳＭは多種の加入者サービスに関する仕様を含み、その中には短メッセージサービス（Short Message Service:ＳＭＳ）と称されるメッセージ機能サービスを含み、これは最大１６０個の英数文字を有するメッセージを、加入者に対して彼または彼女の遠隔装置へ送信することを提供する。これらのメッセージは最初に、例えば移動体装置からこれらをサービスセンタに送信し、続いて指定された加入者に送信するか（”移動体起点”）または、何らかの有線システムから単に、サービスセンタでそのメッセージをシステムの中に打ち込むオペレータを呼び出す（”移動体終点”）。
【０００４】
しかしながら、ＧＳＭの短メッセージサービスは多くの欠点及び制約を被り、従って全世界的に受け入れられたりまたはその他のシステム、例えばＩＳ−５４Ｂの様な北米ディジタル無線通信システム標準に取り入れられてはいない。
【０００５】
例えば、短メッセージサービスのセキュリティーはＧＳＭの中にはほとんど存在しない。ＳＭＳはメッセージが意図している遠隔装置のみで受信されることを保証するための、例えば移動体認識番号（ＭＩＮ）そして／または電子式シリアル番号（ＥＳＮ）を使用している空気インタフェースを介して送信されるその他のメッセージに適用されているのと同等の認証保護は享受しているが、この様な認証手順は短メッセージが意図している遠隔装置で一度受信された後は、いかなる保護も提供していない。従ってこれらのメッセージは、その遠隔装置を使用する個人により、容易に表示すること、またはそうで無ければ再び見直すことも可能である。例えば、加入者が彼または彼女の遠隔装置を別の個人に貸した場合、これらのメッセージを容易に手に入れられるのは好ましくない。
【０００６】
その他の特徴もＧＳＭメッセージサービスの中に欠落している。例えばＧＳＭの中には、メッセージの据え置き配信機構、緊急表示、使用者肯定確認、十分なアドレス指定容量、並びに配信の有効期限が見あたらない。
【０００７】
【特許文献１】米国特許第５，１４６，２１７号公報
【特許文献２】米国特許第４，７８８，５４３号公報
【発明の開示】
【課題を解決するための手段】
【０００８】
従来無線通信システム並びに方法に於けるこれらのまたその他の欠点および制約は、本発明によって解決される。例として挙げる実施例によれば、遠隔装置に送られるＳＭＳメッセージの中に、そのメッセージに関連するアクセスレベルを表示するフィールドが用意できる。遠隔装置の使用者インタフェースには、このフィールドで表示されるアクセスコードに応じてメッセージへのアクセスを制限するための機構が装備できる。従って、例えば使用者はそのメッセージを見るために適切なコードを入力する必要がある。
【０００９】
同様に移動体局とネットワークとの間の発信インタフェースが、メッセージの据え置き配信、緊急表示、使用者肯定確認、十分なアドレス指定容量、および配信の有効期限を提供するように改変されている。
【００１０】
先に述べた本発明の目的、特徴並びに特長は図面と組み合わせた以下の詳細な説明を読むことにより、更に容易に理解されるであろう。
【発明を実施するための最良の形態】
【００１１】
本発明が貢献しうる利益を十分に説明するために、第一の典型的な実施例が例としてＧＳＭを使用して以下に記述されている。第二の典型的な実施例は、本発明を先に参照アプリケーションとして開示した、米国基準ＩＳ−５４Ｂ並びにディジタル制御チャンネルに関連して説明している。しかしながら、当業者は本発明がこれらのサービスがいかなる基準に基づいて実施されていようが、それに関係なくメッセージサービスに適用可能であることを理解できよう。
【００１２】
メッセージがサービスセンタから移動体装置に、ＧＳＭ仕様で配信されたときにこの様なメッセージは”移動体終点短メッセージ”（ＭＴＳＭ）と呼ばれる。
【００１３】
もしもそのメッセージがまた移動体装置を起点に発せられるときは、このメッセージを要求するサービスセンタへの信号は”移動体起点短メッセージ”（ＭＯＳＭ）呼ばれる。この様なメッセージの送信並びに受信を行う一般的なプロセスを次に図１を参照して説明する。
【００１４】
ＭＴＳＭはサービスセンタ２への要求の後に起こり、これはゲートウェイ移動体サービス交換センタ（ＧＭＳＣ）４とインタフェースされているノードである。ゲートウェイ移動体サービス交換センタで提供されるネットワークポートは通常は更にメッセージがＧＭＳＣからサービスセンタの方向に送られる時には”混合相互作用”として説明されるのであるが、この追加の部分は本書ではこれらのセンタの説明を簡単にするために割愛されている。ＧＭＳＣは公衆陸上移動体ネットワークの中へのポートとして働く。サービスセンタはサービス対象である各移動体装置に対するメッセージに関連する、好みの詳細を示すメッセージサービスプロフィール並びに各々の加入者の加入詳細を格納している。例えば、ある加入者がメッセージがその他の媒体（例えば、短メッセージを遠隔端末に表示する）ではなくて、ファクシミリの形式で送信されることを好んだり、または加入者が彼または彼女の発したメッセージが発信される前にコピーされ格納されることを好むといったものである。
【００１５】
メッセージの加入者への送信要求はサービスセンタ２に対して多くの方法で送信することが可能であり、例えばサービスセンタのオペレータを呼び出すことによったり、サービスセンタへのファクシミリメッセージ等によってである。メッセージは次にＧＭＳＣ４に対して送信されるが、例えばここでも参照されている”技術報告，ＧＳＭ ０３．４７”という名称の書類で規定されたインタフェースを使用して行われる。受信遠隔局は、例えばそのＭＳＩＳＤＮ番号で識別される。
【００１６】
ＧＭＳＣ４がそのメッセージをノードのチェインを経由して、当該受信者の遠隔局をサービスしている基地局１２に配信する前に、ＧＭＳＣ４は最初にそのメッセージの回送情報を得るために受信者の本拠地レジスタ（ＨＬＲ）６に問い合わせを行う。ＨＬＲ６は加入者に関するデータを格納しており、これは例えば、状態（接続されているか接続されていないか）、加入者の機器の現在の場所、接続先番号（ＭＳＩＳＤＮ）、無線番号計画識別（例えば、国際移動体加入者識別（ＩＭＳＩ））、補助サービスプロフィール並びに遠隔サービスプロフィールを含む。本拠地レジスタ６に問い合わせるために、”短メッセージ用回送情報を送信”と呼ばれる、ＧＳＭ ＭＡＰメッセージがＧＭＳＣ４から本拠地レジスタ６に送られる。適切な本拠地レジスタは加入者のＭＳＩＳＤＮ、例えばＭＳＩＳＤＮをＣＣＩＴＴ Ｎｏ．７に翻訳する事により、を使用して決定できる。
【００１７】
回送情報を受信した後で、しかももしも受信者遠隔局が現在接続されていると、ＧＭＳＣ４はメッセージを現在受信者の遠隔局のサービスを行っている移動体サービス交換センタ（ＭＳＣ）８に転送する。ＭＳＣ８は通話を確立する際に使用される交換機能とハードウェア制御のためのインタフェースを提供する。注意されたいのは簡単のために図１では訪問者位置レジスタ（ＶＬＲ）がＭＳＣと一体となるように図示されているが、実際にはこれら二つのノードは物理的に分離する事ができる。ＶＬＲは遠隔装置に属し、移動体装置本拠地レジスタの中に格納されている情報の写しを、その遠隔装置が当該ＶＬＲのサービス領域の中に徘徊してきたときに含み、このＶＬＲは加入者の本拠地レジスタからの情報で更新される。
【００１８】
次にメッセージは移動体装置１０に対して基地局１２を経由して空気中をインタフェースとして配信される。肯定確認信号が次にノード連鎖を介して送り返される。もしも遠隔装置の電源が切られている場合、または別の理由でシステム内で活性状態に無い場合は、短メッセージは後ほどの配信に備えてサービスセンタ２に格納される。次に、遠隔システムの電源が投入され、そして再登録されるとこの短メッセージは再び遠隔装置に送り出され、ここでその中のメモリ装置に格納される。
【００１９】
本発明の典型的な実施例に依れば、プライバシーフィールドを発信者が短メッセージに付け加えて、遠隔装置からその短メッセージを出力するために使用者がそのメッセージを見る際に適切な入力を実行しなければならないようにすることも可能である。プライバシーフィールドの更に詳細な例、並びにその他の新規なメッセージサービスの特徴を、本発明に基づく例として挙げる信号通知システムに関連して説明するが、このシステムの中ではディジタル制御チャンネルが存在しており、例えばこのシステムは先に指定し実行されているアプリケーションの中で説明したものである。
【００２０】
説明しようとするメッセージサービス運転は三つの双方向メッセージを使用し、ここではＲ−ＤＡＴＡ，Ｒ−ＤＡＴＡ ＡＣＣＥＰＴおよびＲ−ＤＡＴＡ ＲＥＪＥＣＴと表示されている。図２（ａ）は典型的なＲ−ＤＡＴＡメッセージを図示する。この中で、メッセージ型式情報要素がＲ−ＤＡＴＡメッセージを識別し、Ｒ−処理識別子はメッセージに対して多くの参照番号を提供し、Ｒ−ＤＡＴＡユニット情報要素はＳＭＳメッセージを運び、そしてメッセージセンタアドレスは付加情報要素であって、これは移動体終点メッセージ用にメッセージセンタに含むことの出来るものである。典型的なＲ−ＤＡＴＡ ＡＣＣＥＰＴメッセージが図２（ｂ）に図示されている。この中で、メッセージ型式情報要素がこのメッセージをＲ−ＤＡＴＡ ＡＣＣＥＰＴメッセージと識別している。このＲ−処理識別子情報要素が、先に受け付けられたＲ−ＤＡＴＡメッセージの中に見つけられたものと同一の識別子を戻す。同様に典型的なＲ−ＤＡＴＡ ＲＥＪＥＣＴメッセージが図２（ｃ）に図示されている。このメッセージはＲ−ＤＡＴＡメッセージを肯定確認しかつ拒絶するために使用される。典型的なメッセージフォーマットは、メッセージ型式要素、Ｒ−処理識別子、並びに拒絶の原因に関する情報を提供するＲ−原因情報要素とを含む。先に説明したＧＳＭシステムと同じく、動作は二つのカテゴリーで説明される：移動体終点メッセージと移動体起点メッセージとである。
【００２１】
移動体終点メッセージサービスはメッセージセンタからのメッセージ（例えば、ＳＭＳ ＤＥＬＩＶＥＲアプリケーションメッセージ）の移動体への配信を含む。もしも移動体がディジタル制御チャンネル上で”駐留中”、すなわち現在通話中ではないが電源が投入されている状態の時には、基地局はその移動体にページングし、そこからのページング応答メッセージの受信を待機することが可能である。基地がひとたびページング応答を受信すると、基地はＲ−ＤＡＴＡメッセージを送り、これは移動局に対するＳＭＳ ＤＥＬＩＶＥＲアプリケーションメッセージを含む。このＲ−ＤＡＴＡメッセージはまた、移動局が通信チャンネル上で通話中の時にもＳＭＳ ＤＥＬＩＶＥＲメッセージを送るために使用できる。
【００２２】
典型的なＳＭＳ ＤＥＬＩＶＥＲアプリケーションメッセージが図３（ａ）に図示されている。ここでは、第一列は各々の情報要素の名称を提示し、第二列はこのメッセージ内の各々の情報要素が基地局から移動局に送信されることを示し、第三列はある情報用要素が”必須”でありその他は”オプション”であることを示し、そして第四列は各々の要素に対する典型的なビット長を提供する。勿論、当業者はこの様な表現はシステムに特有のものであって、図の中で”必須”と表示されているフィールドが別の実施例では必須である必要が無いことを理解されよう。次に各々の情報要素の機能を更に詳細に説明する。
【００２３】
メッセージ型式表示部は移動局にこのメッセージがＳＭＳ ＤＥＬＩＶＥＲメッセージであることを通知する。次の”返答オプション”と名付けられた情報要素は、使用者のメッセージに対する肯定確認が要求されているかを示す。例えば、このビットに対して二進数のゼロを、使用者確認肯定が要求されていない事を示すために使用し、二進数の１を使用者が確認肯定を使用者確認肯定が要求されていることを示すために使用できる。例えばオプションである使用者確認肯定の様な付加的な機能を追加するために、このフィールドに更にビットを用意することが可能である。
【００２４】
使用者肯定確認はＳＭＳ ＵＳＥＲ ＡＣＫメッセージを移動局から、使用者確認肯定が要求されていることを指示する返答オプションを有するＳＭＳ ＤＥＬＩＶＥＲメッセージに応答して送ることにより与えられる。典型的なＳＭＳ ＵＳＥＲ ＡＣＫメッセージが図３（ｂ）に図示されている。図３（ｂ）の中に示されているほとんどの情報要素はその他のメッセージに関連して続いて説明されるはずである。しかしながら、応答コード情報要素がＳＭＳ ＵＳＥＲ ＡＣＫメッセージの中でメッセージの発信者へ応答を与えるために使用されており、その値はシステムに固有である。
【００２５】
緊急指示が使用され、メッセージの送信者がその緊急度のレベルを用意することを可能としている。例えば、移動体は緊急指示をメッセージ受領者に異なる型式の注意を与えるために使用できる。この指示用のその他の可能な使用法は：格納優先度またはメモリからの検索順序を含む。この情報要素内のビットに関する典型的な使用法が下記の表に示されている。
【００２６】
（表１）
2007014029.tif 000003
【００２７】
先に少し触れたプライバシー指示要素は、送信されるメッセージに送信者がプライバシーのレベルを設定することを可能とするために使用される。従って、ＳＭＳ ＤＥＬＩＶＥＲメッセージを受信する移動体は、メッセージをそれに付加されているプライバシーのレベルに基づいて異なるように処理する。例えば、移動体使用者が異なるパスワードの打ち込みを、ＳＭＳ ＤＥＬＩＶＥＲメッセージを読む前にこのフィールドの中に見られるコードに基づいて要求されるであろう。このフィールド内のビットの典型的な使用法が表２に示されている。
【００２８】
（表２）
2007014029.tif 000004
【００２９】
メッセージ参照要素は、メッセージ発信者がその記録を取るために使用できる参照番号を提供する。もしもこの要素の値が６４未満であれば、六ビットフィールドがメッセージ参照用に使用できる。もしも一方で、この値が６３以上、８１９２未満の場合は、１３ビットフィールドがメッセージ参照用に使用できる。移動体終点参照では、メッセージ参照要素はまた、先に送信された”使用者肯定確認付き”ＳＭＳ ＤＥＬＩＶＥＲメッセージの使用者肯定確認メッセージに関連して、その応答オプション要素が例えば１にセットされた時にも使用できる。ＳＭＳ ＵＳＥＲ ＡＣＫメッセージの中で送信されるメッセージ参照はＳＭＳＤＥＬＩＶＥＲメッセージの中で受診されたものと同一である。
【００３０】
使用者データユニット情報要素は送信者メッセージのテキストを運ぶために使用される。この要素の典型的なフォーマットが図３（ｂ）に示されている。使用者起点アドレスは起点使用者によってまたはメッセージセンタによってメッセージの起点使用者を識別するために含まれるはずである。使用者起点アドレス情報要素用の典型的なフォーマットが図３（ｃ）に示されている。この中で第三オクテット内のビット７６５で参照される番号フィールドの型式は、下記の表３の中に記述される情報を含むことが可能である。
【００３１】
（表３）
2007014029.tif 000005
【００３２】
国際、国内並びに加入者番号は、例えばＣＣＩＴＴ推奨１．３３０の中に記載されている。ネットワーク特有番号はサービスを提供しているネットワークに特有の管理並びにサービス番号を指示するために使用できる。もしも番号型式が、不明、国際番号、国内番号または加入者番号の内の一つである場合は、番号計画識別フィールドが更に起点使用者の番号を表４に従って定義する。
【００３３】
（表４）
2007014029.tif 000006
【００３４】
使用者データユニットのアドレスキャラクタフィールドは表５に従ってコード化可能である。
【００３５】
（表５）
2007014029.tif 000007
【００３６】
使用者起点副アドレス情報要素はメッセージ起点使用者の副アドレスを識別する。例えばそこに接続されている複数の端末を有する移動体は、起点副アドレスをそのメッセージがどの端末を起点として発せられたかを区別するために使用するはずである。この情報要素に関する典型的なフォーマットが図３（ｄ）に示されている。この中で、副アドレスフィールドの型式は下記の表６に示される型式を与えるオクテット３の中に見られる。
【００３７】
（表６）
2007014029.tif 000008
【００３８】
図３（ｄ）中の奇数／偶数指示は副アドレスの型式が使用者指定でそのコーディングが電話技術二進化十進数（ＴＢＣＤ）の時に使用される。このフィールドの中の”０”は偶数個のアドレス信号が存在することを示し、そしてこのフィールドの中の”１”は奇数個のアドレス信号が存在することを示す。副アドレス情報、すなわちオクテット４並びに後続のオクテットは、例えばＣＣＩＴＴ推奨Ｘ．２１３またはＩＳＯ８３４８ＡＤ２でコード化可能である。メッセージセンタ時刻スタンプ情報要素はひとつのフィールドを提供し、この中にメッセージセンタはそのメッセージがメッセージセンタで受信された時刻を含む。
【００３９】
これらの要素を全体として見るために、これらの情報要素に関する典型的なビットフォーマットが図３（ｅ）に示されている。
【００４０】
メッセージを配信した後、続いて基地局はタイマーを始動する。Ｒ−ＤＡＴＡメッセージを受け取ると、移動局はレイヤー３肯定確認を基地に対して下記のように与える。もしもＲ−ＤＡＴＡメッセージが移動体にとって受け入れられるものであれば、その移動体はそのＲ−ＤＡＴＡメッセージの中に存在するのと同一のＲ−処理識別子を具備したＲ−ＤＡＴＡ ＡＣＣＥＰＴメッセージを送信することで応答する。もしもＲ−ＤＡＴＡメッセージが移動体にとって受け入れられないものであれば、その移動体はそのＲ−ＤＡＴＡメッセージの中に存在するのと同一のＲ−処理識別子と、基地に対してそのメッセージの拒絶理由を通知するＲ−原因情報要素とを具備したＲ−ＤＡＴＡ ＲＥＪＥＣＴメッセージを送信することで応答する。もしも基地のタイマーがレイヤー３肯定確認を受信する前にタイムアップした場合は、この基地はＲ−ＤＡＴＡメッセージを再送信するはずである。
【００４１】
以下は先に述べたメッセージのいくつかの応用例である。以下のテキストメッセージが移動局に送られるものと考える：”Votre rendes-vous de cet apres-midi est cancelle! Salut，Eric”。このメッセージは６３文字長である。このテキストメッセージをメッセージセンタから伝えるための典型的なＳＭＳ ＤＥＬＩＶＥＲメッセージが図３（ｆ）に示されている。図３（ｆ）に示されているＳＭＳ ＤＥＬＩＶＥＲメッセージは、メッセージセンタでレイヤー３メッセージに要約されて、基地局に送られる。基地局はそのレイヤー３メッセージをメッセージセンタから受信し、続いて移動局に配信されるべきレイヤー３Ｒ−ＤＡＴＡメッセージにフォーマット化する。この特定の例に関して、Ｒ−ＤＡＴＡメッセージは図３（ｇ）に示されるとおりである。従って７７オクテットのレイヤー３メッセージが空中を経由して移動局に送信される。最初のテキストメッセージは６３オクテットであり７オクテットが起点者を識別するために追加されている。従って八つのオクテットがオーバーヘッドとして存在する。
【００４２】
移動局がこのＲ−ＤＡＴＡメッセージを受信しかつ受け入れたと仮定すると、これは次に例えば図２（ｂ）に図示するようなレイヤー３Ｒ−ＤＡＴＡ ＡＣＣＥＰＴメッセージを、基地局に対して戻す。この肯定確認は基地局に於いてメッセージ端末肯定確認をメッセージセンタに提供するために使用される。一方で、もしも移動局がこのＲ−ＤＡＴＡメッセージを拒絶すると、Ｒ−ＤＡＴＡ ＲＥＪＥＣＴメッセージが、例えば図２（ｃ）に図示されるように基地局に送られるはずである。
【００４３】
移動体終点メッセージに関する典型的な処理過程を説明してきたが、次に移動体起点メッセージに関連する本発明の典型的な実施例を、図４（ａ）−図４（ｃ）を参照して説明する。
【００４４】
移動局がディジタル制御チャンネル上に駐留しており、メッセージを送信するように要求されたとき、この移動体は最初基地局からＢＣＣＨ上にブロードキャストされ、その移動局が送信する権限を与えられている最大メッセージ長を示す、ＳＭＳアクセスフラグを調べる。もしもＲ−ＤＡＴＡメッセージ長が基地局から認可されている最大メッセージ長（オクテットで）よりも長い場合は、その移動体はＲ−ＤＡＴＡメッセージを送信することを差し控える。もしもそのＲ−ＤＡＴＡメッセージ長が基地局から認可されている最大メッセージ長（オクテットで）よりも短い場合は、もしも登録規則でその移動体がシステムにアクセスすることを許されれば、移動体はＲ−ＤＡＴＡメッセージを送信する。移動体終点メッセージに関する先の典型的な実施例とほぼ同様に、メッセージはレイヤー３Ｒ−ＤＡＴＡメッセージに要約される。しかしながらこの場合、ＳＭＳ ＤＥＬＩＶＥＲメッセージではなくて、ＳＭＳ ＳＵＢＭＩＴメッセージ（図４（ａ）に図示）が要約される。
【００４５】
図４（ａ）の典型的なＳＭＳ ＳＵＢＭＩＴメッセージの中に示されている多くの情報要素は、先に図３（ａ）に関して説明したＳＭＳ ＤＥＬＩＶＥＲメッセージの中に見られるものと同一であるので、ここでは詳しくは説明しない。しかしながら、ＳＭＳ ＳＵＢＭＩＴメッセージはまたいくつかの異なる情報要素をも有しており、これを次に説明する。
【００４６】
配信受け取り情報要素はメッセージセンタに対して、送り先使用者にメッセージを配信した時点で、起点移動局に受け取りを与えるように要求するために使用される。例えば、このフィールドは配信受け取りが要求されないことを示すために二進数”０”を含み、配信受け取りが要求される場合は二進数”１”を含むように出来る。
【００４７】
有効期間情報要素は移動体起点メッセージの中で、メッセージセンタに対してそのメッセージが送り先使用者に配信されなかった場合に削除されるまでの時間を示すために使用される。例えば、送り先使用者は彼または彼女の移動体の電源を落としていて、メッセージがメッセージセンタから配信出来ないかもしれない。この様な状況の場合、有効期間情報要素はメッセージセンタが陳腐化したメッセージに対して無駄な努力をすることを防止するために使用される。
【００４８】
有効期間フィールドは相対または絶対期間で表現できる。例えば、有効期間の長さはＳＭＳ ＳＵＢＭＩＴメッセージがメッセージセンタで受信された時刻に基づいて表現することが可能であり、この場合は相対表現となる。一方で、有効期間はまた終了を、例えばそのメッセージが東部時間の午後８時に終了することを示すように絶対時間を用いて表現することも可能である。
【００４９】
据え置き時間情報要素は、メッセージセンタがそのメッセージを後で配信することを可能とするオプションの能力を提供する。有効期間情報要素と同様、このフィールド内の時間表現は相対または絶対のいずれも可能である。相対表現を用いたこの情報要素に関する典型的なフォーマットが図４（ｂ）に図示されており、絶対時間表現を用いたフォーマットが図４（ｃ）に図示されている。
【００５０】
Ｒ−ＤＡＴＡメッセージが送信された時に移動体はタイマーを始動する。Ｒ−ＤＡＴＡメッセージを受信した時点で、基地はレイヤー３肯定確認を移動体に対して以下のように与える。もしもＲ−ＤＡＴＡが基地にとって受け入れられるものである場合は、これはその肯定確認を行うＲ−ＤＡＴＡメッセージの中に存在するのと同一のＲ−処理識別子を具備したＲ−ＤＡＴＡ ＡＣＣＥＰＴメッセージを送信することで応答する。もしもＲ−ＤＡＴＡメッセージが移動体にとって受け入れられないものであれば、それはその肯定確認を行うＲ−ＤＡＴＡメッセージの中に存在するのと同一のＲ−処理識別子と、基地に対して拒絶の説明をするＲ−原因情報要素とを具備したＲ−ＤＡＴＡ ＲＥＪＥＣＴメッセージを送信することで応答する。もしも基地のタイマーがレイヤー３肯定確認を受信する前にタイムアップした場合は、この基地はＲ−ＤＡＴＡメッセージを再送信するはずである。
【００５１】
もしも移動局に既に通信チャンネルが割り付けられている場合（例えば、移動体が通話中である）、移動体はＲ−ＤＡＴＡメッセージを基地局に対して、Ｌ２肯定確認モードを示す送信サービスと共に、ＦＡＣＣＨまたはＳＡＣＣＨを使用して送信する。次に移動局はタイマーを始動する。Ｒ−ＤＡＴＡメッセージを受信した時点で、基地局はレイヤー３肯定確認を移動体に対して以下のように与える。もしもＲ−ＤＡＴＡが基地にとって受け入れられるものである場合は、これはその肯定確認を行うＲ−ＤＡＴＡメッセージの中に存在するのと同一のＲ−処理識別子を具備したＲ−ＤＡＴＡ ＡＣＣＥＰＴメッセージを送信することで応答する。もしもＲ−ＤＡＴＡメッセージが移動体にとって受け入れられないものであれば、それはその肯定確認を行うＲ−ＤＡＴＡメッセージの中に存在するのと同一のＲ−処理識別子と、基地に対して拒絶の説明をするＲ−原因情報要素とを具備したＲ−ＤＡＴＡ ＲＥＪＥＣＴメッセージを送信することで応答しなければならない。もしも基地のタイマーがレイヤー３肯定確認を受信する前にタイムアップした場合は、この基地はＲ−ＤＡＴＡメッセージを再送信するはずである。
【００５２】
以上の説明では例えば移動並びに基地局をその様な局自体の説明を行うことなく、一般的に参照してきた。従って以下の説明は、その様な移動並びに基地局の例を図５を参照しながら一般的に提供することを意図している。
【００５３】
図５は本発明のひとつの実施例に基づく典型的なセルラ移動体無線電話システムのブロック図を表し、これは先の説明を実現するために使用できる。このシステムは典型的な基地局１１０と移動体１２０とを示す。先に説明した基地および移動局の間のメッセージ信号通知はこれらまたはその他の装置を使用して実現できる。基地局は制御並びに処理装置１３０を含み、これはＭＳＣ１４０に接続されており、これはまた次に公衆交換電話回線（図示せず）に接続されている。
【００５４】
セルに対する基地局１１０は、制御並びに処理装置１３０で制御される音声チャンネルトランシーバ1５０で処理される複数の音声チャンネルを含む。また、各々の基地局は制御チャンネルトランシーバ１６０を含み、これは複数の制御チャンネルを取り扱う能力がある。制御チャンネルトランシーバ１６０は制御情報を基地局またはセルの制御チャンネルを介してその制御チャンネルに捕捉されている移動体に対してブロードキャストする。音声チャンネルトランシーバは通信または音声チャンネルをブロードキャストし、これは先に説明したようにディジタル制御チャンネル位置情報を含むことも可能である。
【００５５】
移動体１２０が最初アイドルモードに入った場合は、これは基地局１１０の様な基地局の制御チャンネルを周期的にスキャンし、どのセルに捕捉されているかまたは駐留するかを判定している。移動体１２０は絶対並びに相対情報ブロードキャストを制御チャンネル上で、その音声並びに制御チャンネルトランシーバ１７０で受信する。次に処理装置１８０は、候補セルの特性を含む受信された制御チャンネル情報を評価し、いずれのセルにその移動体が捕捉されるべきかを決定する。この受信された制御チャンネル情報はそれが関連するセルに関する絶対情報を含むだけではなく、その制御チャンネルが関係するセルに隣接したその他のセルに関する相対情報をも含んでいる。これらの隣接するセルは、第一制御チャンネルの監視を行う一方で定期的にスキャンされ、更に適切な候補が存在するか否かが決定される。移動および基地局を実現する仕様に関する追加の情報が米国特許明細書連続番号第０７／９６７，０２７、名称”多元モード信号処理”１９９２年１０月２７日提出、ピー・デント（Ｐ．Ｄｅｎｔ）およびビー・エケルド（Ｂ．Ｅｋｅｌｕｎｄ）による、に見ることができ、この開示はここでも参照されている。
【００５６】
本発明を先の典型的な実施例を用いて説明してきたが、これらの実施例は本発明に制約を与えると言うよりもむしろ、全ての点に関して図示することを意図したものである。例えば、”遠隔装置”という用語がこの明細書を通して使用されているが、本発明はメッセージサービスを支援する任意の型式の遠隔機器、例えばＰＣＳ機器、携帯装置、パーソナルディジタル補助機器、データ端末等がメッセージの発信または受信を行う、システム並びに方法に適用可能である。
【００５７】
更に、先の典型的な実施例では”移動体”から発信されるメッセージに言及したが、当業者は本発明がまたメッセージを発信するその他の型式の機器、例えばＰＳＴＮまたはデータネットワークにも適用可能なことを理解されよう。更に、本発明はＧＳＭを参照した実施例で説明されてきたが、本発明はメッセージがサービスセンタまたはアナログ機器を含む方法またはシステムを使用して回送される、任意のシステムまたは標準（例えば、ＰＤＣまたはＡＤＣ）に対して等しく適用可能である。従って、本発明の範囲は代わりに添付の請求の項に記載され、この範囲内の任意のそして全ての等価な物並びに改変は包括される。
【図面の簡単な説明】
【００５８】
【図１】メッセージを回送するための典型的なシステムのブロック図である。
【図２（ａ）】本発明の典型的な実施例に基づく、典型的なＲ−ＤＡＴＡメッセージフォーマットを示す図である。
【図２（ｂ）】典型的なＲ−ＤＡＴＡ ＡＣＣＥＰＴメッセージフォーマットを示す図である。
【図２（ｃ）】典型的なＲ−ＤＡＴＡ ＲＥＪＥＣＴメッセージフォーマットを示す図である。
【図３（ａ）】典型的なＳＭＳ ＤＥＬＩＶＥＲメッセージフォーマットを示す図である。
【図３（ｂ）】典型的なＳＭＳ ＵＳＥＲ ＡＣＫメッセージフォーマットを示す図である。
【図３（ｃ）】典型的な使用者データ情報要素メッセージフォーマットを示す図である。
【図３（ｄ）】典型的な使用者を起点とするアドレスフォーマットを示す図である。
【図３（ｅ）】典型的な使用者を起点とするサブアドレスフォーマットを示す図である。
【図３（ｆ）】図３（ａ）内に示される情報要素に対する典型的なビットフォーマットを示す図である。
【図３（ｇ）】典型的なＳＭＳ ＤＥＬＩＶＥＲメッセージを示す図である。
【図３（ｈ）】図３（ｇ）のメッセージを内包する、典型的なＲ−ＤＡＴＡメッセージを示す図である。
【図４（ａ）】典型的なＳＭＳ ＳＵＢＭＩＴメッセージフォーマットを示す図である。
【図４（ｂ）】相対時間表現に対する典型的な遅延配信情報要素フォーマットを示す図である。
【図４（ｃ）】絶対時間表現に対する典型的な遅延配信情報要素フォーマットを示す図である。
【図５】典型的な移動体無線電話システムのブロック図である。
【図１】
2007014029.tif 000009
【図２（ａ）】
2007014029.tif 000010
【図２（ｂ）】
2007014029.tif 000011
【図２（ｃ）】
2007014029.tif 000012
【図３（ａ）】
2007014029.tif 000013
【図３（ｂ）】
2007014029.tif 000014
【図３（ｃ）】
2007014029.tif 000015
【図３（ｄ）】
2007014029.tif 000016
【図３（ｅ）】
2007014029.tif 000017
【図３（ｆ）】
2007014029.tif 000018
【図３（ｇ）】
2007014029.tif 000019
【図３（ｈ）】
2007014029.tif 000020
【図４（ａ）】
2007014029.tif 000021
【図４（ｂ）】
2007014029.tif 000022
【図４（ｃ）】
2007014029.tif 000023
【図５】
2007014029.tif 000024